(57)【要約】【課題】円錐角膜眼及び通常の乱視眼のいずれにおいても、レンズ装用中にレンズ位置が安定しかつ適切な涙液交換がなされ、良好な視力と装用感が得られるハードコンタクトレンズを提供する。【解決手段】レンズ内面１が、中心軸６に直交する平面上への射影において、円形のレンズ中央領域２、その外側に連続する環状の第２中間領域３及び第１中間領域４、並びに環状の周辺領域５からなる。レンズ内面は、レンズの中心軸６に対する直角方向断面において、レンズ中央領域のベースカーブ７、その外側に連続する第２中間領域の第２中間カーブ８、８’及び第１中間領域の第１中間カーブ９、９’、並びに周辺領域の周縁カーブ１０によって形成された輪郭を有する。第２中間カーブ及び第１中間カーブの接続点の角膜表面１１、１１’からの距離、よって第２中間カーブ及び第１中間カーブの曲率がレンズの円周方向に変化する。【選択図】図２
2005055580.tif 000002
【特許請求の範囲】
【請求項１】
レンズ内面が、レンズの中心軸に直交する平面上への射影において、円形のレンズ中央領域と、前記レンズ中央領域の外側に順次連続する複数の環状の中間領域と、前記複数の中間領域の外側に連続する環状の周辺領域とからなり、かつ前記レンズの中心軸に対する直角方向断面を見たときに、前記レンズ中央領域の凹状のベースカーブおよび前記ベースカーブの外側に順次連続する前記複数の中間領域のそれぞれの凹状の中間カーブ、並びに前記中間カーブの外側に連続する前記周辺領域の凹状の周縁カーブによって形成された輪郭を有しており、互いに隣接する中間領域の境界の稜線が、前記境界によって囲まれた部分を断面とし、かつ中心軸が前記レンズの中心軸に一致する円筒面上への射影において、前記境界の稜線上に間隔をあけて位置する少なくとも２点のうちの互いに隣り合う点の間において凹状のカーブをなしてのびていることを特徴とするハードコンタクトレンズ。
【請求項２】
前記互いに隣接する中間領域の境界の稜線が、前記円筒面上への射影において、前記境界の稜線上に等しい間隔をあけて位置する４点のうちの互いに隣り合う点の間において２次または３次近似曲線をなしてのびており、レンズの装用時に、前記４点のうち、一方の直径方向に位置する２点は、角膜表面から、他方の直径方向に位置する２点の角膜表面からの距離と異なる距離離れて配置され、かつ直径方向に対置された２点が角膜表面から等しい距離離れて配置されていることを特徴とする請求項１に記載のハードコンタクトレンズ。
【請求項３】
前記互いに隣接する中間領域の境界の稜線が、前記円筒面上への射影において、前記境界の稜線上に等しい間隔をあけて位置する８点のうちの互いに隣り合う点の間において２次または３次近似曲線をなしてのびており、レンズの装用時に、前記８点は、それぞれ、角膜表面から異なる距離離れて配置されていることを特徴とする請求項１に記載のハードコンタクトレンズ。
【請求項４】
前記複数の中間領域は、前記周辺領域に連続する第１中間領域と、前記第１中間領域および前記レンズ中央領域の間にのびる第２中間領域とからなっており、前記レンズの内面は、前記ベースカーブ、前記ベースカーブの外側に連続する前記第２中間領域の第２中間カーブ、前記第２中間カーブの外側に連続する前記第１中間領域の第１中間カーブ、前記第１中間カーブの外側に連続する前記周縁カーブによって形成された輪郭を有し、
前記ベースカーブは、前記レンズ中央領域内にあって、レンズの装用時に、レンズ中心からレンズの半径方向に所定の距離離れ、かつ角膜表面からの距離が所定の最大距離となる一対の第１の点と、角膜頂点とを通る２次または３次近似曲線からなり、
前記第２中間カーブは、前記第２中間領域内にあって、レンズの装用時に、レンズ中心からレンズの半径方向に沿って所定の距離離れた第２の点と、前記第２の点に向き合う側の前記ベースカーブの外側端と、前記第２の点から遠ざかる側の前記ベースカーブの外側端とを通る２次または３次近似曲線からなり、
前記第１中間カーブは、前記第１中間領域内にあって、レンズの装用時に、レンズ中心からレンズの半径方向に沿って所定の距離離れかつ角膜表面からの距離が所定の最大距離となる第３の点と、前記第３の点に向き合う側の前記第２中間カーブの外側端と、前記第３の点から遠ざかる側の前記第２中間カーブの外側端とを通る２次または３次近似曲線からなり、
前記周縁カーブは、前記周辺領域内にあって、レンズの装用時に、レンズ中心からレンズの半径方向に沿って所定の距離離れかつ角膜表面からの距離が所定の最大距離となる第４の点と、前記第４の点に向き合う側の前記第１中間カーブの外側端と、前記第４の点から遠ざかる側の前記第１中間カーブの外側端とを通る２次または３次近似曲線からなっていることを特徴とする請求項１〜請求項３のいずれかに記載のハードコンタクトレンズ。
【発明の詳細な説明】
【技術分野】
【０００１】
本発明は、ハードコンタクトレンズの改良に関するものである。
【背景技術】
【０００２】
角膜は無血管組織であって、角膜への酸素供給がほとんど涙液を介してなされていることから、角膜をハードコンタクトレンズが覆った場合、角膜への酸素供給は、レンズ材料中を酸素が透過することによるものと、瞬きによってコンタクトレンズが角膜上を移動したときにコンタクトレンズと角膜の間に介在する涙液が交換されることによるものとの２つがある。
【０００３】
ハードコンタクトレンズは、特に、乱視の矯正および視力補正を行うレンズであり、角膜表面に涙液を介して直接接触するため、角膜への酸素供給は、後者のものが重要である。その理由は、涙液交換は、新たな酸素を供給するだけでなく、角膜の代謝物を排泄して角膜の機能を維持する作用を有しているからである。
【０００４】
ところで、従来の球面型コンタクトレンズは、強度乱視および不正乱視の視力補正効果や位置安定性に問題があり、この問題を解消するべく、レンズの両面、あるいは内面や前面を、角膜形状により近いトーリック面としたハードコンタクトレンズや、レンズ内面を非球面としたハードコンタクトレンズがこれまでに開発されてきている。
例えば、角膜乱視矯正のための円環体ソフトコンタクトレンズであって、レンズ前面が実質的に回転対称形をなし、かつレンズ後面が、光学的に有効な中心領域において円環体をなし、そして中心領域を囲む周辺領域において非球面状、特に楕円面形状をなすコンタクトレンズが知られている（特許文献１参照）。しかし、このコンタクトレンズは、レンズ装用時に涙液交換がスムーズに行われず、快適な装用感が得られない。さらには、このコンタクトレンズは構造が複雑であり、製造コスト面においても不利であった。
また、例えば、円錐角膜の視力矯正のためのハードコンタクトレンズであって、角膜に接するレンズ後面の湾曲面の曲率を特定の割合で段階的に変化させたコンタクトレンズが知られている（特許文献２参照）。しかし、このコンタクトレンズは、通常の乱視眼の矯正に適用すると、レンズ装用時に”がたつき”を生じてレンズ位置が安定せず、よって、快適な装用感や適切な視力が得られなかった。
【０００５】
【特許文献１】特開平６−１８８２１号公報
【特許文献２】特開２００３−１５０９４号公報
【発明の開示】
【発明が解決しようとする課題】
【０００６】
したがって、本発明の課題は、円錐角膜眼および通常の乱視眼のいずれに適用されても、レンズ装用中にレンズ位置が安定しかつ適切な涙液交換がなされ、良好な視力と装用感が得られ、低コストで製造可能なハードコンタクトレンズを提供することにある。
【課題を解決するための手段】
【０００７】
上記課題を解決するため、本発明によれば、レンズ内面が、レンズの中心軸に直交する平面上への射影において、円形のレンズ中央領域と、前記レンズ中央領域の外側に順次連続する複数の環状の中間領域と、前記複数の中間領域の外側に連続する環状の周辺領域とからなり、かつ前記レンズの中心軸に対する直角方向断面を見たときに、前記レンズ中央領域の凹状のベースカーブおよび前記ベースカーブの外側に順次連続する前記複数の中間領域のそれぞれの凹状の中間カーブ、並びに前記中間カーブの外側に連続する前記周辺領域の凹状の周縁カーブによって形成された輪郭を有しており、互いに隣接する中間領域の境界の稜線が、前記境界によって囲まれた部分を断面とし、かつ中心軸が前記レンズの中心軸に一致する円筒面上への射影において、前記境界の稜線上に間隔をあけて位置する少なくとも２点のうちの互いに隣り合う点の間において凹状のカーブをなしてのびていることを特徴とするハードコンタクトレンズが構成される。
【０００８】
この構成において好ましくは、前記互いに隣接する中間領域の境界の稜線が、前記円筒面上への射影において、前記境界の稜線上に等しい間隔をあけて位置する４点のうちの互いに隣り合う点の間において２次または３次近似曲線をなしてのびており、レンズの装用時に、前記４点のうち、一方の直径方向に位置する２点は、角膜表面から、他方の直径方向に位置する２点の角膜表面からの距離と異なる距離離れて配置され、かつ直径方向に対置された２点が角膜表面から等しい距離離れて配置されている。
あるいは、前記互いに隣接する中間領域の境界の稜線が、前記円筒面上への射影において、前記境界の稜線上に等しい間隔をあけて位置する８点のうちの互いに隣り合う点の間において２次または３次近似曲線をなしてのびており、レンズの装用時に、前記８点は、それぞれ、角膜表面から異なる距離離れて配置されていることが好ましい。
【０００９】
また、好ましくは、前記複数の中間領域は、前記周辺領域に連続する第１中間領域と、前記第１中間領域および前記レンズ中央領域の間にのびる第２中間領域とからなっており、前記レンズの内面は、前記ベースカーブ、前記ベースカーブの外側に連続する前記第２中間領域の第２中間カーブ、前記第２中間カーブの外側に連続する前記第１中間領域の第１中間カーブ、前記第１中間カーブの外側に連続する前記周縁カーブによって形成された輪郭を有し、前記ベースカーブは、前記レンズ中央領域内にあって、レンズの装用時に、レンズ中心からレンズの半径方向に所定の距離離れ、かつ角膜表面からの距離が所定の最大距離となる一対の第１の点と、角膜頂点とを通る２次または３次近似曲線からなり、前記第２中間カーブは、前記第２中間領域内にあって、レンズの装用時に、レンズ中心からレンズの半径方向に沿って所定の距離離れた第２の点と、前記第２の点に向き合う側の前記ベースカーブの外側端と、前記第２の点から遠ざかる側の前記ベースカーブの外側端とを通る２次または３次近似曲線からなり、前記第１中間カーブは、前記第１中間領域内にあって、レンズの装用時に、レンズ中心からレンズの半径方向に沿って所定の距離離れかつ角膜表面からの距離が所定の最大距離となる第３の点と、前記第３の点に向き合う側の前記第２中間カーブの外側端と、前記第３の点から遠ざかる側の前記第２中間カーブの外側端とを通る２次または３次近似曲線からなり、前記周縁カーブは、前記周辺領域内にあって、レンズの装用時に、レンズ中心からレンズの半径方向に沿って所定の距離離れかつ角膜表面からの距離が所定の最大距離となる第４の点と、前記第４の点に向き合う側の前記第１中間カーブの外側端と、前記第４の点から遠ざかる側の前記第１中間カーブの外側端とを通る２次または３次近似曲線からなっている。
【発明の効果】
【００１０】
本発明によれば、ベースカーブと周縁カーブとの間に複数の中間カーブを付加するとともに、隣接する中間カーブの接続点の角膜表面からの距離をレンズの円周方向に変化させ、中間カーブの曲率をレンズの円周方向に変化させたことにより、レンズ内面が、円錐角膜および通常の乱視角膜のいずれにも良好に適合し、レンズ装用時にレンズ位置が安定して、良好な視力および快適な装用感が得られる。さらには、瞬きによるレンズの角膜上における上下運動に伴って、この中間カーブおよび角膜表面の間の間隙にある種のポンプ作用が発揮され、レンズ周辺の涙液と、中間カーブおよび角膜表面の間の間隙中に貯えられた涙液とを効率よく交換することができ、よって、レンズによって覆われた角膜表面に新たな酸素を供給しかつ角膜の代謝物をレンズの周辺領域に排泄し、角膜の機能を維持することができる。
【発明を実施するための最良の形態】
【００１１】
以下、添付図面を参照して本発明の好ましい実施例について説明する。図１は、本発明によるハードコンタクトレンズの内面の、レンズの中心軸に直交する平面上への射影を示す平面図である。図１に示されるように、本発明のハードコンタクトレンズは、レンズ内面１が、レンズの中心軸６に直交する平面上への射影において、円形のレンズ中央領域２と、レンズ中央領域２の外側に順次連続する複数の環状の中間領域、この実施例では、第２中間領域３および第１中間領域４の２つの環状の中間領域３、４と、これらの中間領域３、４の外側に連続する環状の周辺領域５とからなっている。
【００１２】
また、互いに隣接する中間領域の境界の稜線、この実施例では、第２中間領域３および第１中間領域４の境界の稜線１２が、その境界によって囲まれた部分を断面としかつ中心軸がレンズの中心軸６に一致する円筒面上への射影において、境界の稜線１２上に間隔をあけて位置する少なくとも２点のうちの互いに隣り合う点の間において、凹状のカーブをなしてのびている。
この実施例では、第２中間領域３および第１中間領域４の境界の稜線１２が、当該稜線１２上に等間隔をあけて位置する４点（図１の点ｃ、点ｄ、点ｇ、点ｈ）のうちの互いに隣り合う点の間において、凹状の２次または３次近似曲線をなしてのびている。図３には、図１の隣り合う点ｄと点ｇの間において、第２中間領域３および第１中間領域４の境界の稜線１２がどのように形成されているのかが示してある。
さらに、レンズの装用時に、４点（点ｃ、点ｄ、点ｇ、点ｈ）のうち、一方の直径方向に位置する２点（点ｄ、点ｈ）は、角膜表面から、他方の直径方向に位置する２点（点ｃ、点ｇ）の角膜表面からの距離と異なる距離離れて配置され、かつ直径方向に対置された２点（点ｄと点ｈ、および点ｃと点ｇ）が角膜表面から等しい距離離れて配置されている。
【００１３】
図２は、図１における、点ｄおよび点ｈを結ぶ直径方向（Ｘ１−Ｘ１線）に沿った断面、および点ｃおよび点ｇを結ぶ直径方向（Ｘ２−Ｘ２線）に沿った断面を同時に示した図であり、図２中、実線は２つの断面において共通する部分を、一点鎖線はＸ１−Ｘ１線に沿った断面において固有の部分を、破線はＸ２−Ｘ２線に沿った断面において固有の部分をそれぞれ示している。また、１１は、Ｘ１−Ｘ１線に沿った断面における角膜表面を示し、１１’は、Ｘ２−Ｘ２線に沿った断面における角膜表面を示している。
【００１４】
図２を参照して、レンズ内面１は、図１のＸ１−Ｘ１線に沿った断面において、レンズ中央領域２の凹状のベースカーブ７と、ベースカーブ７の外側に順次連続する複数の中間領域のそれぞれの凹状の中間カーブ、この実施例では、第２中間領域３の第２中間カーブ８および第１中間領域４の第１中間カーブ９と、これらの中間カーブ８、９の外側に連続する周辺領域５の凹状の周縁カーブ１０によって形成された輪郭を有している。
さらに、ベースカーブ７は、レンズ中央領域２内にあって、レンズの装用時に、レンズ中心ｋからレンズの半径方向に所定の距離離れ、かつ角膜表面１１からの距離が所定の最大距離となる一対の第１の点ｅおよび点ｆと、角膜頂点１３とを通る２次または３次近似曲線からなっている。
また、第２中間カーブ８は、第２中間領域３内にあって、レンズの装用時に、レンズ中心ｋからレンズの半径方向に沿って所定の距離離れた第２の点ｄ、ｈと、第２の点に向き合う側のベースカーブ７の外側端ｅ、ｆと、第２の点から遠ざかる側のベースカーブ７の外側端ｆ、ｅとを通る２次または３次近似曲線からなっている。
【００１５】
第１中間カーブ９は、第１中間領域４内にあって、レンズの装用時に、レンズ中心ｋからレンズの半径方向に沿って所定の距離離れかつ角膜表面からの距離が所定の最大距離となる第３の点ｂ、ｉと、第３の点に向き合う側の第２中間カーブ８の外側端ｄ、ｈと、第３の点から遠ざかる側の第２中間カーブ８の外側端ｈ、ｄとを通る２次または３次近似曲線からなっている。
また、周縁カーブ１０は、周辺領域５内にあって、レンズの装用時に、レンズ中心ｋからレンズの半径方向に沿って所定の距離離れかつ角膜表面からの距離が所定の最大距離となる第４の点ａ、ｊと、第４の点に向き合う側の第１中間カーブ９の外側端ｂ、ｉと、第４の点から遠ざかる側の第１中間カーブ９の外側端ｉ、ｂとを通る２次または３次近似曲線からなっている。
【００１６】
図２における、図１のＸ２−Ｘ２線に沿ったレンズ内面１の断面構造は、レンズ装用時における第２中間領域３および第１中間領域４の接続点ｃ、ｇの角膜表面１１’からの距離、よって、第２中間カーブ８’および第１中間カーブ９’の曲率が、図１のＸ１−Ｘ１線に沿った断面の場合と相違するだけである。それ故、図１のＸ２−Ｘ２線に沿ったレンズ内面の断面構造の説明は省略する。
【００１７】
図１〜図３に示されるハードコンタクトレンズの製造には、レンズ装用者の角膜の全体形状を把握した上でレンズの構造設計を行った後、レンズを製造する、カスタムメイドシステムが適用されるのが好ましい。
このシステムにおいて、まず最初、レンズの構造設計のため、レンズ装用者の角膜に投影したプラチド像がコンピュータを用いて解析され、角膜全体の形状データが得られる。角膜形状データは、ケラトメトリーシステム、この実施例では、例えばサンコンタクトレンズ社製、ＰＫＳ１０００、ＳＫ２０００、ＰＲ−７０００を用いて求められるが、同等の角膜形状解析システムであれば、特に機種を限定されるものではない。
角膜上に投影されたプラチド像の画像データはすべて、コンピューターを用いて座標に変換されため、全体の角膜形状、曲率分布はもちろんのこと、任意の範囲の角膜曲率を求めることが出来る。
【００１８】
次に、サンコンタクトレンズ社製ケラトメトリーシステムＰＲ７０００を使用した実際のレンズ設計例を説明する。まず最初、ケラトメトリーシステムＰＲ７０００を用いて、レンズ装用者の角膜直径、角膜弱主経線、角膜強主経線等が計測され、角膜全体の曲率分布のデータが得られる。
得られたデータに基づいて、ハードコンタクトレンズの直径が８．５〜１０．５ｍｍとなるように設計され、レンズ中央領域２は、レンズ中心ｋからレンズの半径方向に沿って３．２５〜３．６５ｍｍの距離までのび、第２中間領域３は、レンズ中心ｋからレンズの半径方向に沿って３．７５〜４．４５ｍｍの距離までのび、第１中間領域４は、レンズ中心ｋからレンズの半径方向に沿って４．１５〜５．１５ｍｍの距離までのび、周辺領域５は、レンズ中心ｋからレンズの半径方向に沿って４．２５〜５．２５ｍｍの距離までのびるように設計される。
【００１９】
そして、第２中間領域３および第１中間領域４の境界の稜線１２が、その境界によって囲まれた部分を断面としかつ中心軸がレンズの中心軸６に一致する円筒面上への射影において、境界の稜線１２上に等間隔をあけて位置する４点（点ｃ、点ｄ、点ｇ、点ｈ）のうちの互いに隣り合う点の間において、２次または３次近似曲線をなして凹状にのびるように形成される。さらに、レンズの装用時に、４点（点ｃ、点ｄ、点ｇ、点ｈ）のうち、一方の直径方向に位置する２点（点ｄ、点ｈ）は、角膜表面から、他方の直径方向に位置する２点（点ｃ、点ｇ）の角膜表面からの距離と異なる距離離れて配置され、かつ直径方向に対置された２点（点ｄと点ｈ、および点ｃと点ｇ）が角膜表面から等しい距離離れて配置されるように形成される。
【００２０】
また、例えば、図１のＸ１−Ｘ１線に沿った断面において、ベースカーブ７は、レンズ中央領域２内にあって、レンズの装用時に、レンズ中心ｋからレンズの半径方向に沿って３．２５〜３．６５ｍｍ離れかつ角膜表面１１からの距離が０．０１〜１．５ｍｍとなる一対の第１の点ｅおよび点ｆと、角膜頂点１３とを通る２次または３次近似曲線によって形成される。
第２中間カーブ８は、第２中間領域３内にあって、レンズの装用時に、レンズ中心ｋからレンズの半径方向に沿って３．７５〜４．４５ｍｍ離れた第２の点ｄ、ｈと、第２の点に向き合う側のベースカーブ７の外側端ｅ、ｆと、第２の点から遠ざかる側のベースカーブ７の外側端ｆ、ｅとを通る２次または３次近似曲線によって形成される。
【００２１】
第１中間カーブ９は、第１中間領域４内にあって、レンズの装用時に、レンズ中心ｋからレンズの半径方向に沿って４．１５〜５．１５ｍｍ離れかつ角膜表面１１からの距離が０．０１〜１．５ｍｍとなる第３の点ｂ、ｉと、第３の点に向き合う側の第２中間カーブの外側端ｄ、ｈと、第３の点から遠ざかる側の第２中間カーブの外側端ｈ、ｄとを通る２次または３次近似曲線によって形成される。
周縁カーブ１０は、周辺領域５内にあって、レンズの装用時に、レンズ中心ｋからレンズの半径方向に沿って４．２５〜５．２５ｍｍ離れかつ角膜表面１１からの距離が０．０１〜１．５ｍｍとなる第４の点ａ、ｊと、第４の点に向き合う側の第１中間カーブの外側端ｂ、ｉと、第４の点から遠ざかる側の第１中間カーブの外側端ｉ、ｂとを通る２次または３次近似曲線から形成される。
【００２２】
図１のＸ２−Ｘ２線に沿った断面についても、同様にして、ベースカーブ７、第１中間カーブ８’、第２中間カーブ９’および周辺カーブ１０が形成される。レンズの他の半径方向の断面についてもまた同様である。
なお、この実施例における点ａ〜点ｊのそれぞれの角膜表面からの距離は、次の通りである。
（１）点ａ、点ｊ：０．０１〜１．５ｍｍ
（２）点ｂ、点ｉ：０．０１〜１．５ｍｍ
（３）点ｃ、点ｇ：０．０１〜０．８ｍｍ
（４）点ｄ、点ｈ：０〜０．８ｍｍ
（５）点ｅ、点ｆ：０．０１〜１．５ｍｍ
【００２３】
コンタクトレンズの設計が完了すると、それに基づいてレンズの製作がなされる。このレンズの製作に際しては、切削研磨法が一般に用いられるが、それ以外のモールドキャスト法等が用いられても差し支えない。またコンタクトレンズ材料は特に限定されるものではなく、コンタクトレンズに加工できる材料であれば何でもよい。
また、コンタクトレンズの製作時に、必要に応じてレンズ内面の各カーブの連結部分に研磨が施される。
【００２４】
こうして、本発明のハードコンタクトレンズにおいては、ベースカーブと周縁カーブとの間に複数の中間カーブが付加され、隣接する中間カーブの接続点の角膜表面からの距離がレンズの円周方向に変化せしめられ、中間カーブの曲率がレンズの円周方向に変化せしめられることにより、レンズ内面が円錐角膜および通常の乱視角膜のいずれにも良好に適合し、レンズ装用時にレンズ位置が安定して、良好な視力および快適な装用感が得られる。
加えて、レンズ装用時に、従来のレンズ内面および角膜表面の間に介在する涙液に加えて、これらの中間カーブと角膜表面との間隙中に更に多くの涙液が貯えられる。そして、瞬きによるレンズの角膜上における上下運動に伴って、中間カーブおよび角膜表面の間の間隙がある種のポンプ作用を発揮し、それによって、レンズの周縁カーブおよび角膜表面の間の間隙を通じて、レンズ周辺の涙液と、中間カーブおよび角膜表面の間の間隙中に貯えられた涙液が効率よく交換される。この涙液交換によって、レンズによって覆われた角膜表面に新たな酸素が供給されるとともに、角膜の代謝物がレンズの周辺領域に排泄され、角膜の機能が維持される。
【００２５】
図４は、本発明の別の実施例によるハードコンタクトレンズの内面の、レンズの中心軸に直交する平面上への射影を示す平面図である。図４に示されるように、この実施例によるハードコンタクトレンズは、上述の実施例と同様、レンズ内面２０が、レンズの中心軸に直交する平面上への射影において、円形のレンズ中央領域２１と、レンズ中央領域２１の外側に順次連続する２つの環状の中間領域、すなわち、第２中間領域２２および第１中間領域２３と、これらの中間領域２２、２３の外側に連続する環状の周辺領域２４とからなっている。
【００２６】
また、第２中間領域２２および第１中間領域２３の境界の稜線３５が、その境界によって囲まれた部分を断面としかつ中心軸がレンズの中心軸２５に一致する円筒面上への射影において、境界の稜線３５上に等間隔をあけて位置する８点（図４の点Ｐ３、点Ｐ６、点Ｐ９、点Ｐ１０、点Ｐ１１、点Ｐ１２、点Ｐ１３、点Ｐ１４）のうちの互いに隣り合う点の間において、２次または３次近似曲線をなして凹状にのびている。
そして、レンズの装用時に、８点（点Ｐ３、点Ｐ６、点Ｐ９、点Ｐ１０、点Ｐ１１、点Ｐ１２、点Ｐ１３、点Ｐ１４）は、それぞれ、角膜表面から異なる距離離れて配置されている。
【００２７】
図５は、図４における、点Ｐ３および点Ｐ６を結ぶ直径方向（Ｙ１−Ｙ１線）に沿った断面、および点Ｐ９および点Ｐ１０を結ぶ直径方向（Ｙ２−Ｙ２線）に沿った断面を同時に示す図であり、図５中、実線は２つの断面において共通する部分を、一点鎖線はＹ１−Ｙ１線に沿った断面において固有の部分を、破線はＹ２−Ｙ２線に沿った断面において固有の部分をそれぞれ示している。また、３２は、Ｙ１−Ｙ１線に沿った断面における角膜表面を示し、３２’は、Ｙ２−Ｙ２線に沿った断面における角膜表面を示している。図６は、図４における、点Ｐ１１および点Ｐ１２を結ぶ直径方向（Ｙ３−Ｙ３線）に沿った断面、および点Ｐ１３および点Ｐ１４を結ぶ直径方向（Ｙ４−Ｙ４線）に沿った断面を同時に示す図であり、図６中、実線は２つの断面において共通する部分を、一点鎖線はＹ３−Ｙ３線に沿った断面において固有の部分を、破線はＹ４−Ｙ４線に沿った断面において固有の部分をそれぞれ示している。また、３４は、Ｙ３−Ｙ３線に沿った断面における角膜表面を示し、３４’は、Ｙ４−Ｙ４線に沿った断面における角膜表面を示している。
【００２８】
図５を参照して、レンズ内面２０は、図４のＹ１−Ｙ１線に沿った断面において、レンズ中央領域２１の凹状のベースカーブ２６と、ベースカーブ２６の外側に順次連続する第２中間領域２２の凹状の第２中間カーブ２７、３６および第１中間領域２３の凹状の第１中間カーブ２８、３７と、これらの中間カーブの外側に連続する周辺領域２４の凹状の周縁カーブ２９によって形成された輪郭を有している。
さらに、ベースカーブ２６は、レンズ中央領域２１内にあって、レンズの装用時に、レンズ中心Ｐ１５からレンズの半径方向に所定の距離離れ、かつ角膜表面３２からの距離が所定の最大距離となる一対の第１の点Ｐ４および点Ｐ５と、角膜頂点３３とを通る２次または３次近似曲線からなっている。
また、第２中間カーブ２７、３６は、第２中間領域２２内にあって、レンズの装用時に、レンズ中心Ｐ１５からレンズの半径方向に沿って所定の距離離れた第２の点Ｐ３、Ｐ６と、第２の点に向き合う側のベースカーブ２６の外側端Ｐ４、Ｐ５と、第２の点から遠ざかる側のベースカーブ２６の外側端Ｐ５、Ｐ４とを通る２次または３次近似曲線からなっている。
【００２９】
第１中間カーブ２８、３７は、第１中間領域２３内にあって、レンズの装用時に、レンズ中心Ｐ１５からレンズの半径方向に沿って所定の距離離れかつ角膜表面からの距離が所定の最大距離となる第３の点Ｐ２、Ｐ７と、第３の点に向き合う側の第２中間カーブ２７、３６の外側端Ｐ３、Ｐ６と、第３の点から遠ざかる側の第２中間カーブ２７、３６の外側端Ｐ６、Ｐ３とを通る２次または３次近似曲線からなっている。
また、周縁カーブ２９は、周辺領域２４内にあって、レンズの装用時に、レンズ中心Ｐ１５からレンズの半径方向に沿って所定の距離離れかつ角膜表面からの距離が所定の最大距離となる第４の点Ｐ１、Ｐ８と、第４の点に向き合う側の第１中間カーブ２８、３７の外側端Ｐ２、Ｐ７と、第４の点から遠ざかる側の第１中間カーブ２８、３７の外側端Ｐ７、Ｐ２とを通る２次または３次近似曲線からなっている。
【００３０】
図５における、図４のＹ２−Ｙ２線に沿ったレンズ内面２０の断面構造、並びに図６における、図４のＹ３−Ｙ３線に沿ったレンズ内面２０の断面構造、およびＹ４−Ｙ４線に沿ったレンズ内面２０の断面構造は、レンズ装用時における第２中間領域２２および第１中間領域２３の接続点Ｐ９、Ｐ１０、Ｐ１１、Ｐ１２、Ｐ１３、Ｐ１４の角膜表面３２’、３４、３４’からの距離、よって、第２中間カーブ２７’、３０、３０’、３６’、３８、３８’および第１中間カーブ２８’、３１、３１’、３７’、３９、３９’の曲率が、図４のＹ１−Ｙ１線に沿った断面の場合と相違するだけである。それ故、図４のＹ２−Ｙ２線、Ｙ３−Ｙ３線およびＹ４−Ｙ４線に沿ったレンズ内面の断面構造の説明は省略する。
【００３１】
この実施例によるコンタクトレンズも、上述の実施例の場合と同様に設計される。すなわち、まず最初、ケラトメトリーシステムＰＲ７０００によって得られたデータに基づいて、ハードコンタクトレンズの直径が８．５〜１０．５ｍｍとなるように設計され、レンズ中央領域２１は、レンズ中心Ｐ１５からレンズの半径方向に沿って３．２５〜３．６５ｍｍの距離までのび、第２中間領域２２は、レンズ中心Ｐ１５からレンズの半径方向に沿って３．７５〜４．４５ｍｍの距離までのび、第１中間領域２３は、レンズ中心Ｐ１５からレンズの半径方向に沿って４．１５〜５．１５ｍｍの距離までのび、周辺領域２４は、レンズ中心Ｐ１５からレンズの半径方向に沿って４．２５〜５．２５ｍｍの距離までのびるように設計される。
【００３２】
そして、第２中間領域２２および第１中間領域２３の境界の稜線３５が、その境界によって囲まれた部分を断面としかつ中心軸がレンズの中心軸２５に一致する円筒面上への射影において、境界の稜線３５上に等間隔をあけて位置する８点（点Ｐ３、点Ｐ６、点Ｐ９、点Ｐ１０、点Ｐ１１、点Ｐ１２、点Ｐ１３、点Ｐ１４）のうちの互いに隣り合う点の間において、２次または３次近似曲線をなして凹状にのびるように形成される。さらに、レンズの装用時に、８点（点Ｐ３、点Ｐ６、点Ｐ９、点Ｐ１０、点Ｐ１１、点Ｐ１２、点Ｐ１３、点Ｐ１４）は、それぞれ、角膜表面から異なる距離離れて配置されるように形成される。
また、例えば、図４のＹ１−Ｙ１線に沿った断面において、ベースカーブ２６は、レンズ中央領域２１内にあって、レンズの装用時に、レンズ中心Ｐ１５からレンズの半径方向に沿って３．２５〜３．６５ｍｍ離れかつ角膜表面３２からの距離が０．０１〜１．５ｍｍとなる一対の第１の点Ｐ４および点Ｐ５と、角膜頂点３３とを通る２次または３次近似曲線によって形成される。
第２中間カーブ２７，３６は、第２中間領域２２内にあって、レンズの装用時に、レンズ中心Ｐ１５からレンズの半径方向に沿って３．７５〜４．４５ｍｍ離れた第２の点Ｐ３、Ｐ６と、第２の点に向き合う側のベースカーブ２６の外側端Ｐ４、Ｐ５と、第２の点から遠ざかる側のベースカーブ７の外側端Ｐ５、Ｐ４と、を通る２次または３次近似曲線によって形成される。
【００３３】
第１中間カーブ２８，３７は、第１中間領域２３内にあって、レンズの装用時に、レンズ中心Ｐ１５からレンズの半径方向に沿って４．１５〜５．１５ｍｍ離れかつ角膜表面３２からの距離が０．０１〜１．５ｍｍとなる第３の点Ｐ２、Ｐ７と、第３の点に向き合う側の第２中間カーブの外側端Ｐ３、Ｐ６と、第３の点から遠ざかる側の第２中間カーブの外側端Ｐ６、Ｐ３とを通る２次または３次近似曲線によって形成される。
周縁カーブ２９は、周辺領域２４内にあって、レンズの装用時に、レンズ中心Ｐ１５からレンズの半径方向に沿って４．２５〜５．２５ｍｍ離れかつ角膜表面３２からの距離が０．０１〜１．５ｍｍとなる第４の点Ｐ１、Ｐ８と、第４の点に向き合う側の第１中間カーブの外側端Ｐ２、Ｐ７と、第４の点から遠ざかる側の第１中間カーブの外側端Ｐ７、Ｐ２とを通る２次または３次近似曲線から形成される。
【００３４】
図４のＹ２−Ｙ２線、Ｙ３−Ｙ３線およびＹ４−Ｙ４線に沿った断面についても、同様にして、ベースカーブ２６、第２中間カーブ２７’、３０、３０’、３６’、３８、３８’および第１中間カーブ２８’、３１、３１’、３７’、３９、３９’および周辺カーブ２９が形成される。レンズの他の半径方向の断面についてもまた同様である。
なお、この実施例における点Ｐ１〜点Ｐ１４のそれぞれの角膜表面からの距離は、次の通りである。
（１）点Ｐ１、点Ｐ８：０．０１〜１．５ｍｍ
（２）点Ｐ２、点Ｐ７：０．０１〜１．５ｍｍ
（３）点Ｐ３、点Ｐ６、：０〜１ｍｍ
（４）点Ｐ９、点Ｐ１０、点Ｐ１４：０．０２〜１．２ｍｍ
（５）点Ｐ１１、点Ｐ１２、点Ｐ１３：０．０１〜１．５ｍｍ
（６）点Ｐ４、点Ｐ５：０．０１〜１．５ｍｍ
この実施例の場合にも、図１〜図３に示された実施例と同様の効果が得られる。
【図面の簡単な説明】
【００３５】
【図１】本発明の１実施例によるハードコンタクトレンズの内面の、レンズの中心軸に直交する平面上への射影を示す平面図である。
【図２】図１における、点ｄおよび点ｈを結ぶ直径方向（Ｘ１−Ｘ１線）に沿った断面、および点ｃおよび点ｇを結ぶ直径方向（Ｘ２−Ｘ２線）に沿った断面を同時に示す図である。
【図３】図１に示したハードコンタクトレンズの内面側からみた部分的な斜視図である。
【図４】本発明の別の実施例によるハードコンタクトレンズの内面の、レンズの中心軸に直交する平面上への射影を示す平面図である。
【図５】図４における、点Ｐ３および点Ｐ６を結ぶ直径方向（Ｙ１−Ｙ１線）に沿った断面、および点Ｐ９および点Ｐ１０を結ぶ直径方向（Ｙ２−Ｙ２線）に沿った断面を同時に示す図であり、
【図６】図４における、点Ｐ１１および点Ｐ１２を結ぶ直径方向（Ｙ３−Ｙ３線）に沿った断面、および点Ｐ１３および点Ｐ１４を結ぶ直径方向（Ｙ４−Ｙ４線）に沿った断面を同時に示す図である。
【符号の説明】
【００３６】
１  レンズ内面
２  レンズ中央領域
３  第２中間領域
４  第１中間領域
５  周辺領域
６  レンズの中心軸
７  ベースカーブ
８、８’  第２中間カーブ
９、９’  第１中間カーブ
１０  周縁カーブ
１１、１１’  角膜表面
１３  角膜頂点
【図１】
2005055580.tif 000003
【図２】
2005055580.tif 000004
【図３】
2005055580.tif 000005
【図４】
2005055580.tif 000006
【図５】
2005055580.tif 000007
【図６】
2005055580.tif 000008